【手続補正書】
【提出日】平成16年1月6日(2004.1.6)
【手続補正１】
【補正対象書類名】明細書
【補正対象項目名】特許請求の範囲
【補正方法】変更
【補正の内容】
【特許請求の範囲】
【請求項１】
原稿台上の原稿を読み取る読取手段と、
画像情報を記憶可能な記憶手段と、
通信媒体を介して他の情報処理装置との間で通信を行う通信手段と、
画像データを印刷出力する印刷手段と、
前記読取手段での読み取り画像データを前記印刷手段により印刷出力するコピーモード動作と、前記記憶手段に記憶された画像データを前記印刷手段より印刷出力するプリントモード動作あるいは前記読取手段の読み取り画像データを前記記憶手段に記憶させる読み取りモード動作とを選択実行させる制御手段とを備え、
前記制御手段は、前記コピーモード動作時には前記読取手段による読取動作と前記印刷手段による印刷動作とを互いに同期させて前記読取手段の読み取り画像データを前記印刷手段に直接送り、前記プリントモード動作時あるいは前記読み取りモード動作時には前記印刷手段あるいは前記読み取り手段の動作に従って前記記憶手段をアクセスすることを特徴とする画像入出力装置。
【請求項２】
前記制御手段は、印刷手段の動作を前記プリントモード動作を最優先とし、次にコピーモード動作を優先して動作させることを特徴とする請求項１記載の画像入出力装置。
【請求項３】
前記印刷手段は少なくとも２種類の印刷結果出力場所を備え、
前記制御手段は前記プリントモード動作中にコピーモード動作要求がある場合に前記印刷手段の前記印刷結果出力場所の空きがあれば前記プリントモード動作を中断して前記コピーモード動作を実行させ、前記印刷手段はコピーモード動作時の印刷結果を前記印刷結果出力場所に出力することを特徴とする請求項２記載の画像入出力装置。
【請求項４】
前記制御手段は前記プリントモード動作中にコピーモード動作要求がある場合に前記印刷手段の前記印刷結果出力場所の空きがなければ前記プリントモード動作終了後に前記コピーモード動作を実行させることを特徴とする請求項３記載の画像入出力装置。
【請求項５】
前記記憶手段は、前記読取手段よりの読み取り画像を記憶する画像データ記憶領域と、前記印刷手段での印刷出力画像を記憶する印刷データ記憶領域とを備え、
前記印刷データ記憶領域の記憶容量は前記印刷手段の１ページ分の画像容量以下であることを特徴とする請求項１乃至４のいずれかに記載の画像入出力装置。
【請求項６】
原稿台上の原稿を読み取る読取手段と、画像情報を記憶可能な記憶手段と、通信媒体を介して他の情報処理装置との間で通信を行う通信手段と、画像データを印刷出力する印刷手段とを備える画像入出力装置における画像入出力方法であって、
前記読取手段での読み取り画像データを前記印刷手段により印刷出力するコピーモード動作と、前記記憶手段に記憶された画像データを前記印刷手段より印刷出力するプリントモード動作あるいは前記読取手段の読み取り画像データを前記記憶手段に記憶させる読み取りモード動作とを選択実行可可能であり、前記コピーモード動作時には前記読取手段による読取動作と前記印刷手段による印刷動作とを互いに同期させて前記読取手段の読み取り画像データを前記印刷手段に直接送り、前記プリントモード動作時あるいは前記読み取りモード動作時には前記印刷手段あるいは前記読み取り手段の動作に従って前記記憶手段をアクセスさせることを特徴とする画像入出力方法。
【請求項７】
前記印刷手段の動作を前記プリントモード動作を最優先とし、次にコピーモード動作を優先して動作させることを特徴とする請求項６記載の画像入出力方法。
【請求項８】
前記印刷手段は少なくとも２種類の印刷結果出力場所を備えており、前記プリントモード動作中にコピーモード動作要求がある場合に前記印刷手段の前記印刷結果出力場所の空きがあれば前記プリントモード動作を中断して前記コピーモード動作を実行させ、前記印刷手段はコピーモード動作時の印刷結果を前記印刷結果出力場所に出力することを特徴とする請求項７記載の画像入出力方法。
【請求項９】
前記プリントモード動作中にコピーモード動作要求がある場合に前記印刷手段の前記印刷結果出力場所の空きがなければ前記プリントモード動作終了後に前記コピーモード動作を実行させることを特徴とする請求項８記載の画像入出力方法。
【請求項１０】
前記請求項１乃至請求項９のいずれかに記載の機能をコンピュータで実現させる制御手順を記憶することを特徴とするコンピュータ可読記憶媒体。
【請求項１１】
前記請求項１乃至請求項９のいずれかに記載の機能をコンピュータで実現させることを特徴とするコンピュータプログラム。
【請求項１２】
外部装置からのプリントデータに基づく画像を印刷するプリント機能と、原稿画像を読み取る読み取り機能とを有する画像入出力装置であって、
画像情報を記憶可能な記憶手段と
前記記憶手段の一部の領域を用いてプリント機能を実行する第１モードと、前記記憶手段の前記第１モードで用いる領域よりも大きい領域を用いてプリント機能を実行する第２モードと、を有するプリント機能実行手段と、
外部装置からのプリントデータに基づく画像の印刷を前記第１モードで実行すべきか前記第２モードで実行すべきかを判定する判定手段と、
前記判定手段が前記第１モードで印刷を実行すべきと判断した場合では、前記印刷機能と前記読み取り機能を並行して動作することを許可し、前記第２モードで印刷を実行すべきと判断した場合では、前記印刷機能と前記読み取り機能を並行して動作することを禁止する制御手段と、
を有することを特徴とする画像入出力装置。
【請求項１３】
前記第１モードでは前記プリントデータをバンド単位で処理し、前記第２モードでは前記プリントデータをページ単位で処理することを特徴とする請求項１２に記載の画像入出力装置。
【請求項１４】
前記判定手段は、前記外部装置からのプリントデータに基づいて前記プリント機能を前記第１モードで実行すべきか前記第２モードで実行すべきかを判定することを特徴とする請求項１２又は請求項１３に記載の画像入出力装置。
【請求項１５】
前記判定手段は、前記外部装置からのプリントデータを前記記憶手段に記憶できないときに前記プリント機能を前記第２モードで実行すべきと判定することを特徴とする請求項１４に記載の画像入出力装置。
【請求項１６】
外部装置からのプリントデータに基づく画像を印刷するプリント機能と、原稿画像を読み取る読み取り機能とを有する画像入出力装置の制御方法であって、
画像情報を記憶可能な記憶手段の一部の領域を用いてプリント機能を実行する第１モードと、前記記憶手段の前記第１モードで用いる領域よりも大きい領域を用いてプリント機能を実行する第２モードのいずれのモードで前記プリントデータに基づく画像の印刷を実行すべきかを判定する判定工程と、
前記判定工程により前記第１モードで実行すべきと判断された場合では、前記印刷機能と前記読み取り機能を並行して動作することを許可し、前記第２モードで実行すべきと判断された場合では、前記印刷機能と前記読み取り機能を並行して動作することを禁止する制御工程と、
を有することを特徴とする画像入出力装置の制御方法。
【手続補正２】
【補正対象書類名】明細書
【補正対象項目名】００１２
【補正方法】変更
【補正の内容】
【００１２】
又例えば、前記通信手段を介しての前記他の情報処理装置よりの印刷データを前記印刷手段より印刷出力させる場合において、前記制御手段は、前記印刷手段が前記記憶手段の印刷データ記憶領域に記憶された印刷データを印刷出力する場合に、前記印刷データの印刷出力動作に比して前記通信手段よりの受信データの前記記憶手段への記憶動作が速く印刷データ記憶領域への記憶ができない場合には前記画像データ記憶領域に空きがある場合には前記画像データ記憶領域の一部を印刷データ記憶領域に割り当てることを特徴とする。
更に例えば、外部装置からのプリントデータに基づく画像を印刷するプリント機能と、原稿画像を読み取る読み取り機能とを有する画像入出力装置において、画像情報を記憶可能な記憶手段と、前記記憶手段の一部の領域を用いてプリント機能を実行する第１モードと、前記記憶手段の前記第１モードで用いる領域よりも大きい領域を用いてプリント機能を実行する第２モードと、を有するプリント機能実行手段と、外部装置からのプリントデータに基づく画像の印刷を前記第１モードで実行すべきか前記第２モードで実行すべきかを判定する判定手段と、前記判定手段が前記第１モードで印刷を実行すべきと判断した場合では、前記印刷機能と前記読み取り機能を並行して動作することを許可し、前記第２モードで印刷を実行すべきと判断した場合では、前記印刷機能と前記読み取り機能を並行して動作することを禁止する制御手段と、を有することを特徴とする。
又例えば、前記第１モードでは前記プリントデータをバンド単位で処理し、前記第２モードでは前記プリントデータをページ単位で処理することを特徴とする。
更に例えば、前記判定手段は、前記外部装置からのプリントデータに基づいて前記プリント機能を前記第１モードで実行すべきか前記第２モードで実行すべきかを判定することを特徴とする。
更に例えば、前記判定手段は、前記外部装置からのプリントデータを前記記憶手段に記憶できないときに前記プリント機能を前記第２モードで実行すべきと判定することを特徴とする。
更に例えば、外部装置からのプリントデータに基づく画像を印刷するプリント機能と、原稿画像を読み取る読み取り機能とを有する画像入出力装置の制御方法において、画像情報を記憶可能な記憶手段の一部の領域を用いてプリント機能を実行する第１モードと、前記記憶手段の前記第１モードで用いる領域よりも大きい領域を用いてプリント機能を実行する第２モードのいずれのモードで前記プリントデータに基づく画像の印刷を実行すべきかを判定する判定工程と、前記判定工程により前記第１モードで実行すべきと判断された場合では、前記印刷機能と前記読み取り機能を並行して動作することを許可し、前記第２モードで実行すべきと判断された場合では、前記印刷機能と前記読み取り機能を並行して動作することを禁止する制御工程と、を有することを特徴とする。